(57)【要約】【課題】安全性および信頼性の高い決済が可能な決済方法および決済システムを提供すること。【解決手段】移動通信端末１０１は、使用者を認証する機能と、認証成功の場合に、決済識別情報の生成要求を決済管理装置１０４に送信する機能と、決済管理装置１０４から受信した決済識別情報を表示する機能を有する。決済端末１０３は、移動通信端末１０１に表示された決済識別情報を入力する機能と、決済識別情報および支払い金額等を含む決済要求を決済管理装置１０４に送信する機能を有する。決済情報管理装置１０４は、移動通信端末１０１からの要求に応じて決済識別情報をその都度生成し移動通信端末１０１に送信する機能と、決済端末１０３から受信した決済要求に含まれる決済識別情報と移動通信端末１０１に送信した決済識別情報とを照合し、両者が合致する場合は、決済要求に基づいて決済処理を行う機能を有する。【選択図】　　図１
2004110684.tif 000002
【特許請求の範囲】
【請求項１】
決済機能を備えた決済装置と、当該決済装置と通信可能な通信端末と、を備える通信システムを利用した決済方法であって、
前記通信端末が、各決済を一義的に識別するための決済識別情報の生成を前記決済装置に対して要求する決済番号生成要求ステップと、
前記決済装置が、前記要求に応じてランダムに決済識別情報を生成し記憶する決済識別情報生成ステップと、
前記決済装置が、前記生成された決済識別情報を前記通信端末に送信する決済識別情報送信ステップと、
前記通信端末が、前記決済識別情報および支払い金額を含む決済要求を前記決済装置に送信する決済要求送信ステップと、
前記決済装置が、前記決済要求に含まれている決済識別情報を前記決済装置に記憶されている決済装置情報の中から照合する決済識別情報照合ステップと、
決済識別情報照合ステップで一致する決済識別情報があった場合に、前記決済装置が、支払い金額および支払い先を含む決済情報を前記通信端末に送信する決済情報送信ステップと、
前記決済装置が、前記決済情報が示す決済の実行を前記通信端末から指示されると、当該決済を実行する決済実行ステップと、
前記決済装置が、前記決済実行ステップで決済が完了した後、前記決済装置に記憶されている前記決済に係る決済識別情報を削除する第１の決済識別情報削除ステップと、
を有することを特徴とする決済方法。
【請求項２】
前記決済装置が、前記決済識別情報送信ステップで決済識別情報を前記通信端末に送信した後、所定時間以上経過しても前記通信端末から前記決済要求が送信されないとき、
当該決済方法は、
前記決済識別情報送信ステップの後、
前記決済装置が、決済の中止を要求する決済中止要求を前記通信端末に送信する決済中止要求送信ステップと、
前記決済装置が、前記決済装置に記憶されている前記決済に係る決済識別情報を削除する第２の決済識別情報削除ステップと、
前記通信端末が、前記決済識別情報送信ステップで送信された決済識別情報を削除する第３の決済識別情報削除ステップと、
を行うことを特徴とする請求項１記載の決済方法。
【請求項３】
前記決済装置が、前記決済情報送信ステップで決済情報を前記通信端末に送信した後、所定時間以上経過しても前記通信端末から決済の実行が指示されないとき、
当該決済方法は、
前記決済情報送信ステップの後、
前記決済装置が、前記決済の中止を要求する決済中止要求を前記通信端末に送信する決済中止要求送信ステップと、
前記決済装置が、前記決済装置に記憶されている前記決済に係る決済識別情報を削除する第２の決済識別情報削除ステップと、
前記通信端末が、前記決済識別情報送信ステップで送信された決済識別情報を削除する第３の決済識別情報削除ステップと、
を行うことを特徴とする請求項１記載の決済方法。
【請求項４】
前記通信端末は、第１の通信端末および第２の通信端末を含み、
前記第１の通信端末は、前記決済識別情報送信ステップで送信された決済識別情報を表示し、
前記第２の通信端末は、前記決済要求送信ステップを実行することを特徴とする請求項１、２または３記載の決済方法。
【請求項５】
請求項１〜４のいずれか一項記載の決済方法における前記決済装置と、請求項１〜４のいずれか一項記載の決済方法における前記通信端末と、から構成されたことを特徴とする決済システム。
【請求項６】
請求項１〜４のいずれか一項記載の決済方法における前記決済装置を構成する装置。
【請求項７】
請求項１〜４のいずれか一項記載の決済方法における前記通信端末を構成する端末。
【発明の詳細な説明】
【０００１】
【発明の属する技術分野】
本発明は、通信システムを利用した決済方法および決済システムに関する。
【０００２】
【従来の技術】
物品やサービスを購入した際の現金によらない決済手段として、一般にはクレジットカードが用いられている。クレジットカードによる決済は、料金の支払いを行う者のクレジットカードに磁気情報として記録されたカード番号等を、店舗に設置されたカードリーダで読み取り、クレジットカード会社の決済センターに信用情報を問い合わせることによって行われる。
【０００３】
【発明が解決しようとする課題】
しかし、クレジットカード決済時における本人確認の方法は、カード所持者によるサインを確認する方法しかないため、紛失や盗難等によって不正に使用される場合がある。また、クレジットカードの磁気情報を不正に読み取って、クレジットカードを偽造するといった犯罪行為も一部の者によって行われている。このように、クレジットカードによる料金決済は信頼性が低く、安心して使用できるものではなくなってきている。
【０００４】
本発明は、上記従来の事情に鑑みてなされたものであって、安全性および信頼性の高い決済が可能な決済方法および決済システムを提供することを目的としている。
【０００５】
【課題を解決するための手段】
上記目的を達成するために、本発明に係る決済方法は、決済機能を備えた決済装置と、当該決済装置と通信可能な通信端末と、を備える通信システムを利用した決済方法であって、前記通信端末が、各決済を一義的に識別するための決済識別情報の生成を前記決済装置に対して要求する決済番号生成要求ステップと、前記決済装置が、前記要求に応じてランダムに決済識別情報を生成し記憶する決済識別情報生成ステップと、前記決済装置が、前記生成された決済識別情報を前記通信端末に送信する決済識別情報送信ステップと、前記通信端末が、前記決済識別情報および支払い金額を含む決済要求を前記決済装置に送信する決済要求送信ステップと、前記決済装置が、前記決済要求に含まれている決済識別情報を前記決済装置に記憶されている決済装置情報の中から照合する決済識別情報照合ステップと、決済識別情報照合ステップで一致する決済識別情報があった場合に、前記決済装置が、支払い金額および支払い先を含む決済情報を前記通信端末に送信する決済情報送信ステップと、前記決済装置が、前記決済情報が示す決済の実行を前記通信端末から指示されると、当該決済を実行する決済実行ステップと、前記決済装置が、前記決済実行ステップで決済が完了した後、前記決済装置に記憶されている前記決済に係る決済識別情報を削除する第１の決済識別情報削除ステップと、を有する。
【０００６】
このように、決済装置が通信端末からの要求に応じて決済識別情報をその都度生成して通信端末に送信し、通信端末から送信された決済要求に含まれている決済識別情報と、通信端末に送信した決済識別情報とが合致する場合に決済を行い、かつ、決済後、当該決済に利用された決済識別情報は削除されるため、安全性および信頼性の高い決済を行うことができる。
【０００７】
また、本発明に係る決済方法は、前記決済装置が、前記決済識別情報送信ステップで決済識別情報を前記通信端末に送信した後、所定時間以上経過しても前記通信端末から前記決済要求が送信されないとき、当該決済方法は、前記決済識別情報送信ステップの後、前記決済装置が、決済の中止を要求する決済中止要求を前記通信端末に送信する決済中止要求送信ステップと、前記決済装置が、前記決済装置に記憶されている前記決済に係る決済識別情報を削除する第２の決済識別情報削除ステップと、前記通信端末が、前記決済識別情報送信ステップで送信された決済識別情報を削除する第３の決済識別情報削除ステップと、を行う。
【０００８】
このように、決済に至るまでの行程で決済が中止されたときは、生成された決済識別情報は決済装置および通信端末の双方で削除されるため、より安全性および信頼性を高めることができる。
【０００９】
また、本発明に係る決済方法は、前記決済装置が、前記決済情報送信ステップで決済情報を前記通信端末に送信した後、所定時間以上経過しても前記通信端末から決済の実行が指示されないとき、当該決済方法は、前記決済情報送信ステップの後、前記決済装置が、前記決済の中止を要求する決済中止要求を前記通信端末に送信する決済中止要求送信ステップと、前記決済装置が、前記決済装置に記憶されている前記決済に係る決済識別情報を削除する第２の決済識別情報削除ステップと、前記通信端末が、前記決済識別情報送信ステップで送信された決済識別情報を削除する第３の決済識別情報削除ステップと、を行う。
【００１０】
このように、決済に至るまでの行程で決済が中止されたときは、生成された決済識別情報は決済装置および通信端末の双方で削除されるため、より安全性および信頼性を高めることができる。
【００１１】
また、本発明に係る決済方法は、前記通信端末は、第１の通信端末および第２の通信端末を含み、前記第１の通信端末は、前記決済識別情報送信ステップで送信された決済識別情報を表示し、前記第２の通信端末は、前記決済要求送信ステップを実行する。この場合、第１の通信端末はユーザが所有し、第２の通信端末は店舗が所有するといった様々な形態に適応することができる。
【００１２】
また、本発明に係る決済システムは、請求項１〜４のいずれか一項記載の決済方法における前記決済装置と、請求項１〜４のいずれか一項記載の決済方法における前記通信端末と、から構成されている。
【００１３】
また、本発明に係る装置は、請求項１〜４のいずれか一項記載の決済方法における前記決済装置を構成する。
【００１４】
さらに、本発明に係る端末は、請求項１〜４のいずれか一項記載の決済方法における前記通信端末を構成する。
【００１５】
【発明の実施の形態】
以下、本発明に係る決済方法および決済システムの実施の形態について、図面を参照して詳細に説明する。
【００１６】
図１は、本発明に係る一実施形態の決済システムを示す構成図である。同図に示すように、本実施形態の決済システムは、料金支払いを行う者が所持している携帯電話等の移動通信端末１０１と、移動通信端末１０１が通信を行う移動通信網１０２と、料金を請求するために各種販売店に設置された決済端末１０３と、移動通信端末１０１に対する料金請求の認証処理を行う決済管理装置１０４とから構成されている。また、移動通信端末１０１と決済管理装置１０４は移動通信網１０２によって相互に接続され、決済端末１０３と決済管理装置１０４は通信網１０５によって相互に接続されている。
【００１７】
なお、移動通信端末１０１および決済端末１０３は特許請求の範囲の通信端末に該当し、決済管理装置は決済装置に該当する。また、移動通信端末１０１は第１の通信端末に該当し、決済端末１０３は第２の通信端末に該当する。
【００１８】
決済管理装置１０４は、移動通信端末１０１からの要求に応じて、ランダムに決済識別情報を生成する手段（図示せず）を有している。決済識別情報は、数字、アルファベット若しくは記号等またはこれらの組み合わせによって構成された任意の文字列であり、各決済を一義的に識別するための情報である。
【００１９】
次に、本実施形態の決済システムによる料金決済手順（決済方法）について、図２〜図４を参照して説明する。図２〜図４は、図１に示す決済システムによる料金決済手順を示すシーケンス図である。
【００２０】
移動通信端末１０１の使用者（料金支払いをする者）は、使用者の認証を行うために、移動通信端末１０１に暗証番号を入力する（ステップＳ２０１）。移動通信端末１０１は、暗証番号が正しければ（ステップＳ２０２でＯＫ）、決済管理装置１０４に決済識別情報生成要求を送信する。一方、暗証番号が正しくない場合は（ステップＳ２０２でＮＧ）、処理を終了する。決済管理装置１０４は、移動通信端末１０１から送信された決済識別情報生成要求を受信すると、その都度、決済識別情報をランダムに生成し（ステップＳ２０３）、当該決済識別情報を内部データベース（図示せず）に記憶した後、応答として移動通信端末１０１に決済識別情報を送信する。当該応答を受信した移動通信端末１０１は、決済識別情報を表示部に表示する（ステップＳ２０４）。
【００２１】
続いて、移動通信端末１０１の使用者は、移動通信端末１０１の表示部に表示された決済識別情報を決済端末１０３に入力する（ステップＳ２０５）。決済端末１０３は、決済識別情報および支払い金額等を含む決済要求を決済管理装置１０４に送信する（ステップＳ２０６）。決済管理装置１０４は、受信した決済要求に含まれている決済識別情報を、内部データベースに記憶している決済識別情報の中から検索および照合し（ステップＳ２０７）、一致する決済識別情報が存在する場合は決済要求を正当とみなし、支払い金額や支払い先等を含む決済情報を移動通信端末１０１に送信する（ステップＳ２０８）。
【００２２】
決済完了要求を受信した移動通信端末１０１は、支払い金額および決済を行って良いかの確認を促す確認画面を表示する（ステップＳ２０９）。移動通信端末１０１の使用者が決済実行の指示を行うと（ステップＳ２１０）、移動通信端末１０１は決済実行指示（ＯＫ）を決済管理装置１０４に送信する。決済実行指示（ＯＫ）を受信した決済管理装置１０４は、決済を実行した後、当該決済に係る決済識別情報を内部データベースから削除し、決済応答を決済端末１０３に送信すると共に、移動通信端末１０１の使用者に対する請求情報に当該決済によって発生した請求額等の情報を追加する（ステップＳ２１１）。
【００２３】
決済応答を受信した決済端末１０３において、移動通信端末１０１の使用者の確認が得られないか、移動通信端末１０１の使用者により拒否された場合は、決済完了応答に「ＮＧ」を設定して決済管理装置１０４に返信する。当該ＮＧの決済完了応答を受信した決済端末１０３は、画面に決済中止を表示し処理を終了する。
【００２４】
なお、図３に示すように、決済管理装置１０４は、決済識別情報生成要求に対する応答としての決済識別情報を移動通信端末１０１に送信して所定時間以上経過しても決済端末１０３から決済要求を得られない場合、ステップＳ２０３で生成した決済識別情報を無効とし、移動通信端末１０１に決済中止要求を送信する（ステップＳ３０１）。当該決済中止要求を受信した移動通信端末１０１は、表示中の決済識別情報を消去し（ステップＳ３０２）、決済中止応答を決済管理装置１０４に送信する（ステップＳ３０３）。決済管理装置１０４は、移動通信端末１０１から決済中止応答を受け取ると、該当する決済識別情報を内部データベースから削除する（ステップＳ３０４）。
【００２５】
また、図４に示すように、決済管理装置１０４は、決済情報を移動通信端末１０１に送信して所定時間以上経過しても移動通信端末１０１から決済実行指示を得られない場合、その決済識別情報を無効と判断し、移動通信端末１０１および決済端末１０３に決済中止要求を送信する（ステップＳ４０１）。決済中止要求を受信した移動通信端末１０１は、表示中の決済識別情報を消去し（ステップＳ４０２）、決済中止応答を決済管理装置１０４に送信する（ステップＳ４０３）。また、決済中止要求を受信した決済端末１０３も、その決済識別情報を削除して（ステップＳ４０４）、決済中止応答を決済管理装置１０４に送信する（ステップＳ４０５）。決済管理装置１０４は、移動通信端末１０１および決済端末１０３から決済中止応答を受け取ると、該当する決済識別情報を内部データベースから削除する（Ｓ４０６）。
【００２６】
以上説明したように、本実施形態の決済方法および決済システムでは、決済管理装置１０４が移動通信端末１０１からの要求に応じて決済識別情報をその都度生成して、当該決済識別情報を移動通信端末１０１に送信し、決済識別情報および支払い金額等を含む決済要求を決済端末１０３から受信した決済管理装置１０４が決済要求に含まれている決済識別情報を照合した結果、当該決済識別情報が内部データベースに登録されており、かつ、移動通信端末１０１から所定時間内に決済実行指示（ＯＫ）を受け取れば、決済管理装置１０４は決済を行う。したがって、従来のようにクレジットカード番号等の重要な情報を公開することなく、安全性および信頼性の高い決済を行うことができる。
【００２７】
なお、移動通信端末１０１の表示部に表示する決済識別情報をバーコードとし、移動通信端末１０１の表示部に表示したバーコードを決済端末１０３に備え付けられたバーコードリーダで読み取るようにすれば、決済識別情報をテンキー等を操作して入力する場合と比較して入力に要する手間を省くことができ、迅速かつ入力誤りのない決済が可能となる。
【００２８】
また、決済管理装置１０４において、移動通信端末１０１から決済実行指示（ＯＫ）を受け取って決済を行った結果を移動通信端末１０１に対して電子メールで送信すれば、移動通信端末１０１の使用者は、当該電子メールによって決済内容を確認したり、決済履歴を管理したりすることができるため利便性が向上する。また、移動通信端末１０１の使用者の認証方式は、ステップＳ２０２のように暗証番号を用いたものに限らず、指紋や声紋等を認識することによって行う、いわゆるバイオメトリクス認証方式であっても良い。
【００２９】
さらに、本実施形態では、移動通信端末１０１と決済端末１０３とが別体として設けられているが、これらを一体として構成し、当該端末（移動通信端末１０１と決済端末１０３を一体とした端末）と決済管理装置１０４と通信によって上記作用および効果を実現しても良い。
【００３０】
【発明の効果】
以上説明したように、本発明に係る決済方法および決済システムによれば、安全性および信頼性の高い決済を行うことができる。
【図面の簡単な説明】
【図１】本発明に係る一実施形態の決済システムを示す構成図
【図２】図１に示す決済システムによる料金決済手順を示すシーケンス図
【図３】図１に示す決済システムによる料金決済手順を示すシーケンス図
【図４】図１に示す決済システムによる料金決済手順を示すシーケンス図
【符号の説明】
１０１　移動通信端末
１０２　移動通信網
１０３　決済端末
１０４　決済管理装置
１０５　通信網
【図１】
2004110684.tif 000003
【図２】
2004110684.tif 000004
【図３】
2004110684.tif 000005
【図４】
2004110684.tif 000006